(57)【特許請求の範囲】
【請求項１】
上面に移動体端末の主体部を載置できるようにした平坦な載置面を有する載置枠には、家屋に固設されているテレビ端子へ接続可能にしてある給電部を備えさせると共に、
給電部から受けたワンセグ信号を上記載置枠の平坦な上面に載置する移動体端末に対して伝送可能にしてある放射部を備えさせてあり、
上記載置枠の一辺には、移動体端末の主体部が載置枠における平坦な上面に置かれた状態で、上記移動体端末の折り曲げ自在に構成してある表示部を支持可能にする為の支持枠を、連結部の回動部を介して上記載置枠に対して起倒調節自在に備えさせ、
上記載置枠を定置し、その上に移動体端末の主体部を載置した状態で、上記給電部からのワンセグ信号を上記放射部に送り、放射部上にある上記移動体端末のワンセグ受信機能に対して、上記ワンセグ信号を放射部から受信可能に伝送するようにしてあることを特徴とするワンセグ信号用放射装置の構造。
【発明の詳細な説明】
【技術分野】
【０００１】
本発明は、移動体端末（例えば携帯電話、携帯用電子辞書等）を用いて、受信条件が悪く、ワンセグ放送を受信することのできない場所（不感地帯とも称されている）においても、良好な状態でワンセグ放送を受信できるようにする為のワンセグ信号用放射装置の構造に関するものである。
【背景技術】
【０００２】
近年、ワンセグ放送が開始されたことにより、携帯電話を用いてワンセグ放送を受信することができるようになった。このワンセグのサービス（テレビ放送、数々のデータ放送等）は、多くの人に楽しまれている。
しかし、地下街、ビルの中などで、電波の届かない場所や受信条件の悪い場所では、携帯電話で上記ワンセグ放送を視聴できない場合がある（例えば、平成１７年６月２１日付の総務省の報道資料「地下街等電波遮蔽空間における地上放送の普及の在り方に関する調査研究会の開催」参照）。
そこで、その改良が望まれている。
【０００３】
【非特許文献１】http://www.soumu.go.jp/s-news/2005/050621_6.html
【発明の開示】
【発明が解決しようとする課題】
【０００４】
この改良としては、微小な電力の中継器を用意して、限定された面積の地域に向けて、再送信することが考えられる。
しかしながら、一般家庭内において再送信を行おうとすると、不適切な機器の使用や設置の仕方によって、既存の放送電波と干渉して予期しない混信等の問題を発生させる場合がある。
【０００５】
本件出願の目的は、不感地帯であっても、移動体端末でワンセグ信号を受信して、ワンセグ放送を視聴することができるワンセグ信号用放射装置の構造を提供しようとするものである。
他の目的は、不感地帯において移動体端末でワンセグ信号を受信する場合、電波漏れ等の周辺への悪影響等を及ぼすおそれがないワンセグ信号用放射装置の構造を提供しようとするものである。
他の目的は、机上面の隅部に雑物があって、凹凸があったり、斜面になっていたりしていても、その隅部を利用して、移動体端末を安定した状態にして、ワンセグ信号を受信し、ワンセグ放送を視聴できるワンセグ信号用放射装置の構造を提供しようとするものである。
他の目的及び利点は図面及びそれに関連した以下の説明により容易に明らかになるであろう。
【課題を解決するための手段】
【０００６】
本発明におけるワンセグ信号用放射装置の構造は、上面に移動体端末７の主体部７ａを安定的に載置できるようにした平坦な載置面12ａを有する載置枠１０には、家屋に固設されているテレビ端子３へ接続可能にしてある給電部Ｅを備えさせると共に、給電部Ｅから受けたワンセグ信号を上記載置枠１０の平坦な上面に載置する移動体端末７に対して伝送可能にしてある放射部２４を備え、上記載置枠１０を定置し、その上に移動体端末７を載置した状態で、上記給電部Ｅからのワンセグ信号を上記放射部２４に送り、放射部上にある上記移動体端末７のワンセグ受信機能に対して、上記ワンセグ信号を放射部２４から至近距離で受信可能に伝送するようにしたものである。
【０００７】
また好ましくは、上面に移動体端末７の主体部７ａを安定的に載置できるようにした平坦な載置面12ａを有する載置枠１０には、家屋に固設されているテレビ端子３へ接続可能にしてある 給電部Ｅを備えさせると共に、給電部Ｅから受けたワンセグ信号を上記載置枠１０の平坦な上面に載置する移動体端末７に対して伝送可能にしてある放射部２４を備え、上記載置枠１０の一辺には、移動体端末７の主体部７ａが載置枠１０における平坦な上面に置かれた状態で、上記移動体端末７の折り曲げ自在に構成してある表示部７ｂを支持可能にする為の支持枠３０を、連結部Ｄの回動部を介して上記載置枠１０に対して起倒調節自在に備えさせ、上記載置枠１０を定置し、その上に移動体端末７の主体部７ａを載置した状態で、上記給電部Ｅからのワンセグ信号を上記放射部２４に送り、放射部上にある上記移動体端末７のワンセグ受信機能に対して、上記ワンセグ信号を放射部２４から至近距離で受信可能に伝送するようにしてあるものであればよい。
【発明の効果】
【０００８】
以上のように本発明は、ワンセグ放送の不感地帯において、移動体端末７、例えば携帯電話を利用してワンセグ放送を受信して視聴したい場合、載置枠１０を定置した状態で、放射部２４を備える載置枠１０の上に移動体端末を単純に載置するだけで、給電部からのワンセグ信号を上記移動体端末で受信することができるので、不感地帯であってもワンセグ放送を手軽に受信して視聴することができる利用上の効果がある。
【０００９】
しかも、不感地帯において受信する場合、ワンセグ信号用放射装置Ａにおける放射部２４の上に移動体端末７を位置させて、至近距離に位置する放射部２４からワンセグ放送の電波を受信するものなので、放射部２４から放射する信号は微弱で足りる特長がある。
このことは、周辺への電波漏れを殆ど皆無にすることができるので、電波漏れ等の周辺への悪影響を及ぼすおそれを無くすことのできる効果がある。
【００１０】
その上、携帯電話７によりワンセグ信号を受信する場合、携帯電話７を放射部２４の上に置くだけで、放射部２４からのワンセグ信号を受信できるので、携帯電話７をワンセグ信号の受信に用いる場合と、携帯電話７を本来の用途（例えば通話）に用いる場合の頻繁な切替え操作も、片手で、かつ、迅速にできる効果がある。
【００１１】
さらに本発明は、机上の隅部が、雑物で雑然としていたり、凹凸がある等して、移動体端末７を頻繁に定置したり、持出したりを繰返すことのできない環境にあっても、それら雑物の上に載置枠１０を定置しておけば、載置枠１０の載置面12ａは平坦なので、載置枠１０の上に移動体端末７を手軽に、しかも安定した状態で位置させることができる特長がある。
このことは、机上面５の隅部に雑物があって、凹凸があったり、斜面になっていたりしていても、その隅部を利用して、移動体端末７を安定した状態にして、ワンセグ信号を受信し、ワンセグ放送を視聴できる使用上の効果がある。
【００１２】
さらに本発明は、主体部７ａに対して表示部７ｂが開閉自在になっている折り畳み式携帯電話７において、表示部７ｂを斜めに開いた状態で用いる場合、ヒンジ７ｄがルーズな場合、ワンセグ放送受像中に表示部７ｂがズルズル倒れてしまうものであるが、斯かる携帯電話を用いてワンセグ放送を視聴しようとする場合、ワンセグ信号用放射装置Ａにあっては載置枠１０に対する支持枠３０の傾斜角θ１を固定することができるので、携帯電話７の主体部７ａを、放射部２４を備える載置枠１０の上面に載置した状態で、携帯電話の表示部７ｂを上記支持枠３０に寄りかからせることによって、携帯電話のヒンジ７ｄが上記のようにルーズであっても、携帯電話の表示部７ｂの傾斜角θ２を一定に固定できる利用上の効果がある。
【００１３】
しかも、上記のように角度設定されたワンセグ信号用放射装置Ａの載置枠１０の上に、折り畳み式携帯電話７を載置して、その傾斜角θ２を設定してワンセグ放送視聴中、携帯電話の他の用途（例えば通話）に主体部７ａに対する表示部７ｂの角度を変えて使用した後、再びワンセグ放送の視聴を再開したい場合は、上記載置枠１０に対する支持枠３０の傾斜角θ１は固定されているから、携帯電話の主体部７ａを放射部２４を備える載置枠１０の上面に載置し、表示部７ｂを支持枠３０に寄りかからせるだけで、携帯電話７の表示部７ｂの角度を、元通りの好みの角度に戻してワンセグ放送を視聴することができる効果がある。
【発明を実施するための最良の形態】
【００１４】
以下本発明の実施の形態を図面を用いて説明する。図１は、不感地帯において、ワンセグ信号用放射装置Ａの使用方法を説明する為の概略斜視図。
図２（Ａ）は、図１におけるII−II線断面図で、載置枠１０と、支持枠３０と、放射部２４との位置関係を説明する為の概略図（移動体端末７及び給電線５８を省略して示す）。図２（Ｂ）は、支持部３０を載置枠１０に対して重なる状態に倒した状態を説明する為の斜視図。
図３は、ワンセグ信号用放射装置Ａを説明する為の分解斜視図。
図４は、携帯電話７の主体部７ａを、載置枠１０の上面に載置した状態で、携帯電話の表示部７ｂを上記支持枠３０に寄りかからせて使用する状態を説明する為の斜視図。
図５は、机上面５の隅部に雑物６があって斜面になっている場合の使用状態を説明する為の概略側面図で、机上面５とワンセグ信号用放射装置Ａにおける載置枠１０に対する支持枠３０の傾斜角θ１と、携帯電話の表示部７ｂの傾斜角θ２と、視線の関係を示す図。
【００１５】
図１において、３は不感地帯における家屋の壁２に固設されているテレビ端子、４は机、Ａは机上面５に載置されたワンセグ信号用放射装置を示す。７は周知の移動体端末、例えば主体部７ａに対して表示部７ｂがヒンジ７ｄによって開閉自在になっている折り畳み式携帯電話７を示す。移動体端末７において、７ｃは主体部７ａに内蔵される周知のワンセグ受信機能、例えばアンテナの存在を示し、ワンセグ信号を受信することができる。
なお、移動体端末７でワンセグ信号を受信する例を説明したが、それに代えて移動体端末で受信できる地上デジタル放送の信号、例えば、フルセグ信号、ワンセグ信号、デジタルラジオの信号の全て、或いはその内の何れかを受信するようにしてもよい（以下本明細書において、移動体端末で受信できる地上デジタル放送の信号を単に「ワンセグ信号」と称する）。
【００１６】
本件のワンセグ信号用放射装置Ａにおける載置枠１０は、図に表れているように、上面に移動体端末７の主体部７ａを安定的に載置できるようにした平坦な載置面12ａを有する。
この点を図１〜３を用いて詳しく説明する。Ｂは載置部を示し、載置枠１０と放射部２４とを備える。図２（Ａ），図３によく示されるように、載置枠１０において１１は主枠で、移動体端末７の主体部７ａを載置する載置部１２と、載置部１２の四周に備えられている縁部１３とがプラスチック等の硬質材で一体的に形成されている。載置部１２の大きさは、周知の移動体端末（例えば、携帯電話、電子辞書等）が載置できる寸法にすればよく、例えば縦寸法：１７５mm×横寸法：１５１mm程度の寸法にすればよい。載置部１２の厚みは、８mm程度にすればよい。
１６は補助枠を示し、板状の補助板部１７と、補助板部１７の四周に備えられている補助縁部１８とをプラスチック等の硬質材で一体的に形成されている。１４は主枠１１の縁部１３に四カ所、補助枠１６の補助縁部１８に四カ所夫々形成された固着孔を示し、ビス14ａでもって主枠１１と補助枠１６とを一体的に合着するのに用いられる。  図２（Ａ）によく示される２０は、後述の放射部２４を収容する為の収容空間を示す。
なお、収容空間２０に放射部２４を収容する例を図示したが、載置枠１０の上に貼付けてもよい。
【００１７】
次に、本件のワンセグ信号用放射装置Ａにおける放射部２４は、後述する給電部Ｅから受けたワンセグ信号を上記載置枠１０の平坦な上面に載置する移動体端末７に対して伝送可能にしてある。
この点を図２、３を用いて詳しく説明する。
シート状の放射部（フィルムアンテナとも称されている）は広く知られており、例えば特開２００６−２６２４１４公報で開示される等広く知られている。放射部２４において、２５は放射部２４のベースとなる基材を示し、樹脂フィルム、例えばポリエステル、ポリエチレン、アクリル、塩化ビニル、ＰＥＴ、ＡＢＳ、ポリプロピレンで形成すればよく、その厚さは５０〜250ミクロン程度。２６はアンテナ素子の存在を示し、周知のように基材２５に接着した銅やアルミニュームなどの金属泊をエッチングなどにより網目状に形成すればよい。
なお、アンテナ素子２６は周知のように、金属導体をプリント、印刷によって導体を付着して形成してもよく、導電塗料により形成してもよい。
２７は給電点を示し、テレビ端子３からのワンセグ信号が給電部Ｅ、給電線５８を介してアンテナ素子２６に伝送するようにしてある。
この放射部２４から放射されるワンセグ信号の出力は、周辺に向かって電波障害を起こす恐れのない程度の微弱な信号で、かつ、放射部の上に載置される移動体端末７に対しては充分な値となるワンセグ信号を出力する。
【００１８】
次に、本件のワンセグ信号用放射装置Ａにあっては、図から理解できるように、上記載置枠１０の一辺には、移動体端末７の主体部７ａが載置枠１０における平坦な上面に置かれた状態で、上記移動体端末７の折り曲げ自在に構成してある表示部７ｂを支持可能にする為の支持枠３０を、連結部Ｄの回動部４３，48ｂ、４３，48ｂを介して上記載置枠１０に対して起倒調節自在に備えさせてある。
この点を図１〜５を用いて詳しく説明する。Ｃは支持部、３０は支持枠を示す。
図２（Ａ），図３によく示されるように、支持枠３０において３１は支持主枠で、移動体端末７の表示部７ｂを支持する支持板部３２と、支持板部３２の四周に備えられている支持縁部３３とがプラスチック等の硬質材で一体的に形成されている。支持板部３２の寸法は、図示の如く載置部Ｂに対応する寸法にすればよいが、周知の折り畳み式の移動体端末（例えば、携帯電話、電子辞書等）の表示部を支持できる寸法であればよく、例えば、載置部Ｂより小さい寸法にしても良い。
３６は支持補助枠を示し、板状の支持補助板部３７と、支持補助板部３７の四周に備えられている支持補助縁部３８とをプラスチック等の硬質材で一体的に形成されている。１９は支持主枠３１の支持縁部３３に四カ所、支持補助枠３６の支持補助縁部３８に四カ所夫々形成された固着孔を示し、ビス19ａでもって支持主枠３１と支持補助枠３６とを一体的に合着するのに用いられる。
【００１９】
次に、図１〜３から理解できるように、連結部Ｄは、載置枠１０に対して連結されている第１連結部材４０と、支持枠３０に対して連結されている第２連結部材４７とを備える。
第１連結部材４０において、40ａは主枠１１の一端11ａに一体的に固着されている第１連結要素、40ｂは補助枠１６の一端16ａに一体的に固着されている第２連結要素を示す。上述した主枠１１と補助枠１６とを合着させることにより、第１連結要素40ａと第２連結要素40ｂとは一体的に合着できる。４５は放射部２４の給電点２７に接続される給電線５８を存置させる空間、45ａは第１連結要素40ａに形成された切欠部を示し、主枠１１の空間２０に収納された放射部２４の給電点２７に接続された給電線５８を空間４５に引き出すことができる。
【００２０】
第２連結部材４７において、47ａ、47ａは支持主枠３１の一端31ａ側の両端に夫々一体的に固着されている第３連結要素、47ｂ、47ｂは支持補助枠３６の一端36ａ側の両端に夫々一体的に固着されている第４連結要素を示す。第４連結要素47ｂにおいて、元部48ａは第３連結要素47ｂの内径に対応する形状に構成されており、枢軸部48ｂは第１連結部材４０における連結部４３の内径に対応する形状に形成されている。端口48ｃには、給電部Ｅのプラグ５６に対応する周知のジャック５７が備えられ、給電部Ｅからのワンセグ信号が伝送される。第３連結要素47ａと第４連結要素47ｂとの合着は、上述した支持主枠３１と支持補助枠３６とを一体的に合着することにより行なわれる。
第１連結部材４０と第２連結部材４７とは、周知のように枢軸部48ｂと連結部４３とで構成される回動部で連結される。枢軸部48ｂと連結部４３との嵌合状態は、広く知られているように、少し大きな力を加えると相対移動するが、常態においてはその状態を維持するようになっている。支持枠３０は、この枢軸部48ｂと連結部４３との回動部を介し上記載置枠１０に対して起倒調節自在にできる。
なお、回動部は、上述したような嵌合状態を得られれば良く、他の任意の手段、例えば傾斜角調節後、固定する為に押しねじを付加する等周知の手段を用いてもよい。
【００２１】
次に、本件のワンセグ信号用放射装置Ａにおける給電部Ｅは、家屋に固設されているテレビ端子３へ接続可能にしてある。給電部Ｅにおいて、５４は周知の給電線（同軸ケーブルとも称されている）、５５はテレビ端子３に接続するコネクタ（プラグ）、５６は周知のプラグを示す。給電線５４の長さは、コネクタ５５をテレビ端子３に接続して載置枠１０を机上５に定置して使用する場合を考慮して、任意に設定すればよく、例えば１〜２ｍにすればよい。
なお、給電部Ｅの載置枠１０への接続手段は、上述したプラグ５６とジャック５７とで着脱自在に接続しても良いが、給電部Ｅにおける給電線５４を周知のように載置枠１０に固着して接続しても良い。
【００２２】
本件のワンセグ信号用放射装置Ａは、図１からも理解できるように、上記載置枠１０を定置し、その上に移動体端末７を載置した状態で、上記給電部Ｅからのワンセグ信号を上記放射部２４に送り、放射部２４上にある上記移動体端末７のワンセグ受信機能７ｃに対して、上記ワンセグ信号を放射部２４から至近距離で受信可能に伝送するようにしてある。
【００２３】
上記構成のものを用いて、不感地帯でワンセグ放送を視聴する方法について説明する。なお、ワンセグ信号用放射装置Ａは図２（Ｂ）に示される状態にあるものとする。
まず、支持枠３０を図４に示されるように適当な角度θ１に開く。
次に、図１に示されるように、給電部Ｅにおけるコネクタ５５を壁のテレビ端子３に接続し、プラグ５６を連結部Ｄのジャック５７に連結する。すると、テレビ端子３からのワンセグ信号は、給電部Ｅ、給電線５８を介して放射部２４に伝送され、放射部２４からワンセグ信号が放射される。
載置枠１０の上に携帯電話７を載置し、載置枠１０に対する支持枠３０の角度θ１と、携帯電話の表示部７ｂの角度θ２を適当に調整し、ワンセグ信号の受信を開始する。携帯電話７の主体部７ａにおけるワンセグ受信機能７ｃによって、ワンセグ信号を受信し（放射部２４と、ワンセグ受信機能７ｃとの間のカップリング効果に伴う受信）、ワンセグ放送を視聴することができる。
さらに、机上５の隅部が、雑物（ファイル）６で雑然としていたり、凹凸がある等して、移動体端末７を頻繁に定置したり、持出したりを繰返すことのできない環境にあっても、図５に示されるように、雑物６の上に載置枠１０を定置しておけば、机上の隅部を利用して、携帯電話７を安定した状態にして、ワンセグ信号を受信し、ワンセグ放送を視聴できる使用上の効果がある。
【００２４】
さらに、ワンセグ放送視聴中に携帯電話７の他の用途（例えば通話）のために主体部７ａに対する表示部７ｂの角度を変えて使用した後、再びワンセグ放送の視聴を再開したい場合は、図５から理解できるように、載置枠１０に対する支持枠３０の傾斜角θ１は維持されているから、携帯電話の表示部７ｂを支持枠３０に寄りかからせるだけで、携帯電話７の表示部７ｂの角度を、元通りの好みの角度に戻してワンセグ放送を視聴することができる。
【００２５】
次に、ワンセグ放送の視聴を終えて、ワンセグ信号用放射装置Ａを片付ける方法について説明する。なお、ワンセグ信号用放射装置Ａ、携帯電話７は図１の状態にあるものとする。
まず、載置枠１０の上に載置されている携帯電話７を片付ける。支持部３０を載置枠１０に対して図２（Ｂ）に示される位置（重なる状態）まで倒す。図２（Ｂ）に示される状態では、ワンセグ信号用放射装置Ａは小嵩になる。よって、机上を他の事務処理に利用したい場合は、ワンセグ信号用放射装置Ａを机上５の隅に片付けて、机上を広く使用できる。
【００２６】
ワンセグ信号用放射装置Ａにおける支持部Ｃは任意に備えればよく、支持部Ｃを備えさせない形式、即ち、載置枠１０と放射部２４を備える載置部Ｂと、給電部Ｅとで構成しても良い。この場合には、給電部Ｅにおけるプラグ５６に対応するジャックは、第１連結部材４０における連結部４３に備えさせるとよい。
この場合にあっても、本件のワンセグ信号用放射装置Ａは、載置枠１０を定置し、その上に移動体端末７を載置した状態で、上記給電部Ｅからのワンセグ信号を上記放射部２４に送り、放射部上にある上記移動体端末７のワンセグ受信機能に対して、上記ワンセグ信号を放射部２４から至近距離で受信可能に伝送し、移動体端末７でワンセグ放送を視聴することができる。
【図面の簡単な説明】
【００２７】
【図１】不感地帯において、ワンセグ信号用放射装置Ａの使用方法を説明する為の概略斜視図
【図２】（Ａ）は、図１におけるII−II線断面図、（Ｂ）は、支持部３０を載置枠１０に対して重なる状態に倒した状態を説明する為の斜視図。
【図３】ワンセグ信号用放射装置Ａの分解斜視図。
【図４】使用する状態を説明する為の斜視図。
【図５】机上面５の隅部に雑物があって斜面になっている場合の使用状態を説明する為の概略側面図。
【符号の説明】
【００２８】
Ａ・・・ワンセグ信号用放射装置、Ｂ・・・載置部、Ｃ・・・支持部、Ｄ・・・連結部、Ｅ・・・給電部、２・・・壁、３・・・テレビ端子、４・・・机、５・・・机上（机上面）、６・・・雑物（ファイル）、７・・・移動体端末、７ａ・・・主体部、７ｂ・・・表示部、７ｃ・・・ワンセグ受信機能、７ｄ・・・ヒンジ、１０・・・載置枠、１１・・・主枠、１２・・・載置部、12ａ・・・載置面、１３・・・縁部、 １４・・・固着孔、14ａ・・・ビス、１６・・・補助枠、１７・・・補助板部、１８・・・補助縁部、１９・・・固着孔、19ａ・・・ビス、２０・・・収容空間、２４・・・放射部（シート状アンテナ）、２５・・・基材、２６・・・アンテナ素子、２７・・・給電点、３０・・・支持枠、３１・・・支持主枠、３２・・・支持板部、３３・・・支持縁部、３６・・・支持補助枠、３７・・・支持補助板部、３８・・・支持補助縁部、４０・・・第１連結部材、40ａ・・・第１連結要素、40ｂ・・・第２連結要素、４５・・・空間、45ａ・・・切欠部、４７・・・第２連結部材、47ａ・・・第３連結要素、47ｂ・・・第４連結要素、５４・・・給電線（同軸ケーブル）、５５・・・コネクター（プラグ）、θ１・・・角度(移動体端末用ワンセグ受信アンテナ）、θ２・・・角度（移動体端末用）
【図１】
0005081695.tif 000002
【図２】
0005081695.tif 000003
【図３】
0005081695.tif 000004
【図４】
0005081695.tif 000005
【図５】
0005081695.tif 000006